(57)【要約】【課題】  グラビア版の表面に損傷を与えることなく、ドクタの自由端の撓みによる余分なインキの凸部への掻き出しを防止又は軽減すること。【解決手段】  グラビア版は、版面の凹部内に設けられ、前記版面の凸部以下の面内に頂部を有するドクタ支持部を備え、該ドクタ支持部はドクタのインキ掻き取り中該ドクタの自由端に支持を与える。【選択図】  図４
2005343134.tif 000002
【特許請求の範囲】
【請求項１】
版面の凹部内に設けられ、前記版面の凸部以下の面内に頂部を有するドクタ支持部を備え、該ドクタ支持部はドクタのインキ掻き取り中該ドクタの自由端に支持を与える、グラビア版。
【請求項２】
前記ドクタ支持部の頂部の高さは前記凸部の高さの９０〜１００％である、請求項１に記載のグラビア版。
【請求項３】
前記ドクタ支持部の幅は前記凸部の幅の９０〜１００％である、請求項１に記載のグラビア版。
【請求項４】
前記版面には該版面に接触する前記ドクタの幅方向に１００μｍ以下の間隔で前記凸部又は前記ドクタ支持部が配置されている、請求項１に記載のグラビア版。
【請求項５】
前記凹部はほぼ矩形であり、前記ドクタ支持部は前記矩形の少なくとも１つの辺からこれに対向する辺に向けて伸びる壁である、請求項１ないし４のいずれか１項に記載のグラビア版。
【請求項６】
前記凹部はほぼ矩形であり、前記ドクタ支持部は前記矩形の少なくとも１つのコーナー部から対角線状に伸びる壁である、請求項１ないし４のいずれか１項に記載のグラビア版。
【請求項７】
前記凹部はほぼ矩形であり、前記ドクタ支持部は前記矩形の少なくとも１つの辺からこれに対向する辺に向けて伸びる柱状体の列からなる、請求項１に記載のグラビア版。
【請求項８】
前記凹部はほぼ矩形であり、前記ドクタ支持部は前記矩形の少なくとも１つのコーナー部から対角線状に伸びる柱状体の列からなる、請求項１に記載のグラビア版。
【請求項９】
前記凹部は多角形又は円形であり、前記ドクタ支持部はドクタのインキ掻き取り方向又は該掻き取り方向と交差する方向へ伸びる壁又は柱状体の列からなる、請求項１に記載のグラビア版。
【請求項１０】
前記凹部は多角形又は円形であり、前記ドクタ支持部は複数の柱状体の列からなり、各柱状体は隣接する柱状体に対してほぼ等間隔又は不等間隔で配置されている、請求項１に記載のグラビア版。
【発明の詳細な説明】
【技術分野】
【０００１】
本発明は、グラビア印刷機で使用するグラビア版に関する。
【背景技術】
【０００２】
グラビア印刷機は、版面のインキを薄い鋼鉄の刃、すなわちドクタで掻き取った後、凹部のインキを紙に写す。
【０００３】
グラビア印刷機におけるインキ装置は、版胴の版面にインキを付ける部分と、余分のインキを掻き取る部分とから成る。インキを掻き取るには、厚さ０．０５〜０．３ｍｍのドクタを版に当て、これを横振りさせ、版胴の回転によってその表面のインキを掻き取る。このドクタを適当な圧力で版に当て、よくインキのとれるドクタ角度に据え付ける。ドクタ角度すなわちドクタが版胴との接点において接線となす角度は３０〜６０°が適当である。
【０００４】
グラビア刷版は、円筒状の版胴の表面に絵柄又は画像の濃度に応じたと大きさと深さとを有するセルと称される多数の微細な凹部を設けたものである。この凹部には上記インキ装置によりインキが満たされるが、この凹部を規定する周囲の凸部にはドクタの掻き取りによりインキは付着しないのが普通である。
【０００５】
【非特許文献１】昭和４３年１月５日共立出版株式会社発行「製版印刷技術総論（下）」第３４７頁以下
【非特許文献２】昭和４３年６月１０日印刷出版研究所発行「写真製版技術」第４６８頁、第４９９頁
【非特許文献３】１９９４年７月１４日株式会社加工技術研究会発行「グラビア技術総覧」第８９頁、第１００頁、第１２５頁
【０００６】
ところで、上記のグラビア刷版を用いてポリエチレンテレプタレート（ＰＥＴ）シートに水溶性インキで格子状の絵柄を印刷し、印刷面上にアルミニウムを蒸着してインキを水で洗い流せば、上記凸部に相当する部位を線状のアルミニウムが占め、これにより例えば電波吸収材の素材となる部材を製造することができる。この部材に求められることは、アルミニウムによる線が細いこと、その線間のピッチが大きいこと、そして、その線が整った直線であることである。
【０００７】
その線が整った直線であるために、前記凸部を整った直線状にすることが必要であることはいうまでもないが、前記ドクタがインキを掻き取るとき、インキの一部が凸部に移動して留まると、アミニウムの線が曲がったり、その幅が一定でなかったりする結果を生じるため、これを防止しなければならない。
【０００８】
このような結果は、ドクタの自由端が掻き取り動作中に撓むことによりインキがセルから前記凸部に掻き出され、該凸部に留まることによる。このような結果は、理論的には、ドクタ角度を９０°近くまで大きくすることによって避けることができる。しかし、一方で、ドクタ角度を高めると、ドクタが版のより強い振動を受け、それによる影響で印刷の精度や品質を損ねる結果を招き、実際に採用することはできない。
【発明の開示】
【発明が解決しようとする課題】
【０００９】
したがって、本発明は、グラビア版の表面に損傷を与えることなく、ドクタの自由端の撓みによる余分なインキの凸部への掻き出しを防止又は軽減することにある。
【課題を解決するための手段】
【００１０】
上記の課題を解決する本発明は、版面の凹部内にドクタ支持部を設け、該ドクタ支持部により、インキ掻き取り中、ドクタの自由端を支持してその撓みを防止又は軽減し、これによりドクタの自由端の撓みによる余分なインキの凸部への掻き出しを防止又は軽減する。
【発明の効果】
【００１１】
本発明によれば、ドクタによりインキ掻き取り中、該ドクタの自由端を前記ドクタ支持部が支持することにより、撓みを防止又は軽減し、余分なインキの凸部への掻き出しを防止又は軽減することができ、直線状の細い線の印刷が可能となる。
【発明を実施するための最良の形態】
【００１２】
グラビア版はその版面に多数の凹部を有するが、該凹部の平面形状は多角形、円形、楕円形など様々である。図１には凸部１０により区画された矩形の凹部１２が、また図２には同様に凸部１０により区画された円形の凹部１２が示されている。
【００１３】
グラビア印刷に際して、インキ装置のドクタ（その自由端の縁部を図１，２に仮想線１４で図示）は、グラビア版に対して図１，２の各上方から下方へ相対的に運動し、その間に凹部に受け入れられているインキを掻き取る。図１，２に示すグラビア版は代表的な従来構造のもので、ドクタがインキを掻き取ったとき、ドクタの先端の撓みに起因してインキが凹部１２から掻き出され、そのインキが凸部１０上に留まることがある。この場合、凸部１０に対応する線は線幅が一定でなかったり、曲線となったりする（図３参照）。
【００１４】
本発明によれば、そのような不具合は避けられる。すなわち、本発明に係るグラビア版は、図４〜１０に示すように、凸部１０の高さ以下の面内に頂部を有するドクタ支持部１６〜２８を備え、このドクタ支持部はドクタのインキ掻き取り中該ドクタの自由端に支持を与え、その撓みを防止又は軽減する（図１１）。
【００１５】
ドクタ支持部１６〜２８の頂部の高さは凸部１０の高さの９０〜１００％であることが好ましい。また、ドクタ支持部１６の幅は凸部１０の幅の１０〜１００％であることが好ましい。さらに、ドクタ支持部１６は、版面に接触するドクタの幅方向に１００〜３００μｍの間隔で凸部１０又は該ドクタ支持部が位置するように配置されることが好ましい。
【００１６】
図４，５に示す例において、版面に凸部１０により区画された凹部は図１に示したと同様にほぼ矩形であり、ドクタ支持部１６は該矩形の１つの辺からこれに対向する辺に向けて伸びる壁であり（図４）、また、ドクタ支持部１８，１８’は前記矩形の２つの辺からそれぞれの辺に対向する辺に向けて伸びる２つの壁であり、該２つの壁は十字状に交差している（図５）。
【００１７】
次に、図６，７に示す例では、ドクタ支持部２０は前記矩形の１つのコーナー部から対角線状に伸びる壁であり（図６）、またドクタ支持部２２，２２’は前記矩形の２つのコーナーから各対角線上に伸びる２つの壁であり、該２つの壁は十字状に交差している（図７）。
【００１８】
図４〜図９に示した例では、ドクタ支持部は連続的な壁でありしかも凸部に結合されている、これを断続的な壁（図示せず）とすることができ、また図１２に示すドクタ支持部３０のように凸部１０と分離した壁とすることもできる。
【００１９】
さらに、図８，９，１０に示すドクタ支持部２４，２６，２８は、いずれも、複数の柱状体からなる。すなわち、ドクタ支持部２４は前記矩形の１つの辺からこれに対向する辺に向けて伸びる柱状体の列からなり（図８）、ドクタ支持部２６は前記矩形の２つの相対するコーナー部間に配置された柱状体の十字状の列からなり（図９）、さらにドクタ支持部２８は前記矩形の凹部内に配置された柱状体の複数の列からなる（図１０）。
【００２０】
ドクタ支持部２４，２６，２８を構成する各柱状体は、隣接する柱状体に対してほぼ等間隔で配置されている。この例に代え、各柱状体を隣接する柱状体に対して不等間隔で配置してもよい。また、各柱状体の直径は凸部１０の幅を超えない範囲で個々に又は全体に変更することができる。
【００２１】
図４〜図１０に示した例は、いずれも、凹部の形状が矩形であるが、本発明は矩形の凹部に限られず、三角形、五角形、六角形等の多角形のほか、図２に示した円形や楕円形の凹部に同様に実施することができる。
【００２２】
図示の例のほか、他の態様で、ドクタ支持部は、多角形、円形（楕円形を含む）等の凹部内に、ドクタのインキ掻き取り方向又は該掻き取り方向と交差する方向へ伸びる壁又は柱状体の列として配置することができる。
【００２３】
また、図示の例のほか、壁状のドクタ支持部と柱状のドクタ支持部とを適宜に組み合わせることもできる。
【図面の簡単な説明】
【００２４】
【図１】多角形の凹部を有する従来のグラビア版面の一部を示す平面図。
【図２】円形の凹部を有する従来のグラビア版面の一部を示す平面図。
【図３】ドクタにより掻き取られたインキがグラビア版面の凸部に留まったときの印刷面の一部を示す平面図。
【図４】本発明の実施例に従って凹部内にドクタ支持部を配置したグラビア版面の一部を示す平面図。
【図５】本発明の他の実施例に従って凹部内にドクタ支持部を配置したグラビア版面の一部を示す平面図。
【図６】本発明のさらに他の実施例に従って凹部内にドクタ支持部を配置したグラビア版面の一部を示す平面図。
【図７】本発明のさらに他の実施例に従って凹部内にドクタ支持部を配置したグラビア版面の一部を示す平面図。
【図８】本発明のさらに他の実施例に従って凹部内にドクタ支持部を配置したグラビア版面の一部を示す平面図。
【図９】本発明のさらに他の実施例に従って凹部内にドクタ支持部を配置したグラビア版面の一部を示す平面図。
【図１０】本発明のさらに他の実施例に従って凹部内にドクタ支持部を配置したグラビア版面の一部を示す平面図。
【図１１】グラビア版面の凹部内に配置されたドクタ支持部によるドクタ自由端支持状況を示す、グラビア版の部分断面図。
【図１２】本発明のさらに他の実施例に従って凹部内にドクタ支持部を配置したグラビア版面の一部を示す平面図。
【符号の説明】
【００２５】
１０  版面の凸部
１２  版面の凹部
１４  ドクタの自由端の縁部
１６，１８，１８’，２０，２２，２２’，２４，２６，２、３０  ドクタ支持部
【図１】
2005343134.tif 000003
【図２】
2005343134.tif 000004
【図３】
2005343134.tif 000005
【図４】
2005343134.tif 000006
【図５】
2005343134.tif 000007
【図６】
2005343134.tif 000008
【図７】
2005343134.tif 000009
【図８】
2005343134.tif 000010
【図９】
2005343134.tif 000011
【図１０】
2005343134.tif 000012
【図１１】
2005343134.tif 000013
【図１２】
2005343134.tif 000014
【手続補正書】
【提出日】平成16年6月9日(2004.6.9)
【手続補正１】
【補正対象書類名】特許請求の範囲
【補正対象項目名】請求項３
【補正方法】変更
【補正の内容】
【請求項３】
前記ドクタ支持部の幅は前記凸部の幅の１０〜１００％である、請求項１に記載のグラビア版。
【手続補正２】
【補正対象書類名】特許請求の範囲
【補正対象項目名】請求項４
【補正方法】変更
【補正の内容】
【請求項４】
前記版面には該版面に接触する前記ドクタの幅方向に１００〜３００μｍの間隔で前記凸部又は前記ドクタ支持部が配置されている、請求項１に記載のグラビア版。